(57)【特許請求の範囲】
【請求項１】
キッチンに設けられる吐水装置であって、
キッチンに取り付けられる取付部と、
前記取付部から上方側に延設されるスパウト部と、
除菌水を生成する除菌水生成部と、
前記スパウト部に設けられ、前記除菌水生成部によって生成された除菌水をキッチンの
シンクに向けて吐出する除菌水吐出部と、を備え、
当該吐水装置は、前記除菌水吐出部から吐出される除菌水を前記シンク内に向けて吐水
する第１吐水状態と、前記除菌水吐出部から吐出される除菌水を前記取付部に供給する第
２吐水状態とを形成可能に構成されており、
前記第２吐水状態は、前記除菌水吐出部から吐出される除菌水を前記スパウト部の外面
に沿って流れるようにするとともに、前記スパウト部の外面に沿って流れる除菌水を前記
取付部にガイドし、
前記第２吐水状態は、前記第１吐水状態を実行した後に自動で実行されるよう構成され
ていることを特徴とする吐水装置。
【請求項２】
前記第１吐水状態にて止水を実行することで、前記第２吐水状態に切り替わることを特徴とする請求項１に記載の吐水装置。
【請求項３】
前記第２吐水状態は、前記第１吐水状態よりも小流量の除菌水を吐水することで形成さ
れることを特徴とする請求項１に記載の吐水装置。
【請求項４】
前記取付部には、前記除菌水吐出部からの除菌水の吐水と止水とを切替える操作部が設
けられていることを特徴とする請求項３に記載の吐水装置。
【発明の詳細な説明】
【技術分野】
【０００１】
本発明は、キッチンに設けられる吐水装置に関する。
【背景技術】
【０００２】
キッチンに設けられる吐水装置において、吐水口より流束断面形状が略円形の水流を吐出する通常水栓と、吐水口より幕状の水流を吐出する幕状水栓とが設けられたものが知られている（下記特許文献１参照）。下記特許文献１に記載の吐水装置においては、イオン水生成器にて生成されたアルカリ水が通常水栓から吐出され、イオン水生成器によって生成された酸性水が幕状水栓から吐出されるように構成されている。
【先行技術文献】
【特許文献】
【０００３】
【特許文献１】特開平１０−８２０８３号公報
【発明の概要】
【発明が解決しようとする課題】
【０００４】
上記従来技術のように除菌水をシンク内に向けて吐水することで、調理器具、食材、シンク、排水網かごなどを除菌することができる。しかしながら、洗浄時に飛び跳ねた汚れた水などが溜まりやすく、且つ掃除も困難である水栓の根元部分は、除菌水が直接かからないため、除菌水吐出による除菌が困難であった。除菌水を利用して除菌するためには、例えば、ホース付きの除菌水吐出部を設け、水栓の根元部分に向けて除菌水を直接吐水する方法も考えられる。しかしながら、水栓の根元部分はシンク外もしくはシンク内の高い位置に設けられるため、除菌水が大量にシンク外に飛散してしまうという特有の課題が生じる。
【０００５】
本発明はこのような課題に鑑みてなされたものであり、その目的は、除菌水をシンク外に飛散することなく水栓の根元部分に供給することができる吐水装置を提供することである。
【課題を解決するための手段】
【０００６】
上記課題を解決するために、本発明に係る吐水装置は、キッチンに設けられる吐水装置であって、キッチンに取り付けられる取付部と、前記取付部から上方側に延設されるスパウト部と、除菌水を生成する除菌水生成部と、前記スパウト部に設けられ、前記除菌水生成部によって生成された除菌水をキッチンのシンクに向けて吐出する除菌水吐出部と、を備え、前記除菌水吐出部から吐出される除菌水を前記シンク内に向けて吐水する第１吐水状態と、前記除菌水吐出部から吐出される除菌水を前記取付部に供給する第２吐水状態とを形成可能に構成されている。前記第２吐水状態は、前記除菌水吐出部から吐出される除菌水を前記スパウト部の外面に沿って流れるようにするとともに、前記スパウト部の外面に沿って流れる除菌水を前記取付部にガイドする。
【０００７】
本発明では、シンク内に向けて除菌水を吐水できるよう構成しているので、まな板や包丁などの調理器具を除菌したり、シンク本体や排水口を除菌したりすることができる。また、除菌水をスパウト部の外面を沿って取付部にガイドする第２吐水状態を実現するようにしたことで、水栓の根元部分である取付部に対してゆっくりとした流れで且つピンポイントで除菌水を供給することができる。これにより、除菌水をシンク外に飛散させることなく水栓の根元部分に供給することができる。
【０００８】
また本発明に係る吐水装置では、前記第２吐水状態は、前記第１吐水状態を実行した後に自動で実行されるよう構成されていることも好ましい。
【０００９】
第一吐水状態の後は、まな板や包丁などの調理器具を除菌した際に飛び跳ねた汚れた水が取付部に溜まりやすく、この水が長時間放置されると菌が繁殖する要因となる。そこでこの好ましい態様では、第一吐水状態の後に、自動で第二吐水状態を実行するようにしたので、第一吐水状態時に汚れた水が取付部に滞留したとしても、第二吐水状態によって直ちに取付部に滞留した水を除菌水に置換することができる。これにより、取付部に菌が繁殖することをより確実に防止できる。
【００１０】
また本発明に係る吐水装置では、前記第２吐水状態は、前記第１吐水状態よりも小流量の除菌水を吐水することで形成されることも好ましい。
【００１１】
この好ましい態様では、流量が低下すると水はスパウト部に沿って流れる性質を利用し、流量を低下させることで第二吐水状態を形成できるようにしたので、除菌水吐水部の向きを変えるなどの複雑な構造を用いることなく、簡単な方法で第二吐水状態を形成できる。
【００１２】
また本発明に係る吐水装置では、前記取付部には、前記除菌水吐出部からの除菌水の吐水と止水とを切替える操作部が設けられていることも好ましい。
【００１３】
この好ましい態様では、汚れた手で触ることが多い操作部を取付部に設けることで、菌が繁殖しやすい操作部も同時に除菌できる。
【発明の効果】
【００１４】
本発明によれば、本発明はこのような課題に鑑みてなされたものであり、その目的は、除菌水をシンク外に飛散することなく水栓の根元部分に供給することができる吐水装置を提供することができる。
【図面の簡単な説明】
【００１５】
【図１】本発明の実施形態に係る吐水装置の外観を示す斜視図である。
【図２】本発明の実施形態に係る吐水装置の外観を示す正面図である。
【図３】本発明の実施形態に係る吐水装置の外観を示す平面図である。
【図４】本発明の実施形態に係る吐水装置の流路構成を示す概略構成図である。
【図５】本発明の実施形態に係る吐水装置の吐水形態を説明するための図である。
【図６】図５で説明した吐水形態における着水状態の作用を説明するための図である。
【図７】まな板除菌の作業方法を説明するための図である。
【図８】本発明の実施形態に係る吐水装置の吐水開始時の制御フローチャートである。
【図９】水道水によって水膜が形成され水跳ねが抑制される状況を説明するための図である。
【図１０】本発明の実施形態に係る吐水装置の吐水開始時の制御フローチャートである。
【図１１】本発明の実施形態に係る吐水装置の吐水形態を説明するための図である。
【図１２】本発明の実施形態に係る吐水装置の吐水形態を説明するための図である。
【図１３】本発明の実施形態に係る吐水装置の止水時の状態を説明するための図である。
【図１４】本発明の実施形態に係る吐水装置の止水時の状態を説明するための図である。
【図１５】本発明の実施形態に係る吐水装置の止水時の状態を説明するための図である。
【発明を実施するための形態】
【００１６】
以下、添付図面を参照しながら本発明の実施形態について説明する。説明の理解を容易にするため、各図面において同一の構成要素に対しては可能な限り同一の符号を付して、重複する説明は省略する。
【００１７】
本発明の実施形態に係る吐水装置について、図１から図３を参照しながら説明する。図１は、本発明の実施形態に係る吐水装置の外観を示す斜視図である。図２は、本発明の実施形態に係る吐水装置の外観を示す正面図である。図３は、本発明の実施形態に係る吐水装置の外観を示す平面図である。
【００１８】
図１に示されるように、吐水装置ＷＤは、シンクＳＫに設けられている。吐水装置ＷＤは、水道水吐出部１０と、除菌水吐出部２０とを備えている。
【００１９】
図２に示されるように、水道水吐出部１０は、スパウト部１０１と、取付部１０２と、操作部１０３と、を備えている。除菌水吐出部２０は、スパウト部２０１と、取付部２０２と、操作部２０３と、を備えている。
【００２０】
図３に示されるように、シンクＳＫは、底面ＳＫ１と、排水口ＳＫ２と、を備えている。排水口ＳＫ２は、シンクＳＫの幅方向において一方の端部に設けられている。底面ＳＫ１は、排水口ＳＫ２に向けて水が流れるように水勾配が取られている。除菌水吐出部２０は、排水口ＳＫ２とは逆に配置され、シンクＳＫの幅方向において他方の端部に設けられている。水道水吐出部１０は、中央寄りに配置されている。
【００２１】
続いて図４を参照しながら、吐水装置ＷＤの流路構成について説明する。図４においては、吐水装置ＷＤの除菌水吐出部２０側の流路構成を示している。図４に示されるように、除菌水吐出部２０には、除菌水生成部３０が繋がれていて、除菌水生成部３０が除菌水を供給している。
【００２２】
除菌水生成部３０は、止水栓３１と、電磁弁３２と、調圧弁３３と、逆止弁３４と、電解槽３５と、塩水パック３６と、マイクロポンプ３７と、制御装置３８と、を備えている。配管経路としては上流側から、止水栓３１、電磁弁３２、調圧弁３３、逆止弁３４、電解槽３５と繋げられていて、最後に除菌水吐出部２０に繋がれている。塩水パック３６及びマイクロポンプ３７は傍流経路として設けられていて、塩水パック３６からマイクロポンプへと繋げられており、電解槽３５の上流において上記配管経路に繋がれている。制御装置３８は、電磁弁３２、電解槽３５、マイクロポンプ３７のそれぞれに制御信号を出力する。電磁弁３２は、制御装置３８から出力される制御信号に応じて、吐水・止水を行うようにバルブを開閉する。電解槽３５には一対の電極が設けられており、制御装置３８から出力される制御信号に応じて、一対の電極への通電状態が可変される。一対の電極に通電されると、電解槽３５において除菌水が生成され、除菌水吐出部２０に供給される。マイクロポンプ３７は、制御装置３８から出力される制御信号に応じて塩水パック３６に貯留された塩水を電解槽３５に送り出す。このようにすることで、電解槽３５では高濃度の除菌水が生成される。
【００２３】
続いて、図５を参照しながら、本実施形態の吐水装置ＷＤの吐水形態を説明する。図５は、水道水吐出部１０から吐出される水道水の吐水状態と、除菌水吐出部２０から吐出される除菌水の吐水状態とを比較して示したものである。
【００２４】
水道水吐出部１０のスパウト部１０１に形成された吐水部と、除菌水吐出部２０のスパウト部２０１に形成された吐水部とを比較すると、その外周形状は除菌水吐出部２０のスパウト部２０１に形成された吐水部が小さくなっている。除菌水吐出部２０のスパウト部２０１に形成された吐水部は、幅方向も奥行方向も、水道水吐出部１０のスパウト部１０１に形成された吐水部よりも小さくなるように形成されている。除菌水吐出部２０から吐出された除菌水が着水した際に形成される水膜面積が水道水吐水部１０から吐出された水道水が着水した際に形成される水膜面積よりも小さくなるように、複数の除菌水散水孔が形成される領域の外周面積は、複数の水道水散水孔が形成される領域の外周面積よりも小さくなるよう構成されている。更に、隣り合う除菌水散水孔相互の間隔は、隣り合う水道水散水孔相互の間隔よりも小さくなるように構成されている。
【００２５】
水道水吐出部１０のスパウト部１０１に形成された吐水部からの吐水状態は、吐水直後から徐々に広がるようになっている。一方、除菌水吐出部２０のスパウト部２０１に形成された吐水部からの吐水状態は、吐水直後から広がりを極力もたないようになっている。そのため、まな板ＢＤへの着水状態は、水道水は広く着水し、除菌水は狭く着水するようになっている。
【００２６】
このような吐水状態及び着水状態を実現すると、着水してからまな板ＢＤを動かすことで、図６に示すような着水状態となる。このようにすると、除菌水の着水状態は狭い範囲に水流が着水するようになり、狭い範囲で互いに干渉する。そのため、水道水の着水状態と比較して、全体としても狭い範囲に水が広がることになる。結果として、まな板ＢＤからこぼれ落ちる水の量は、除菌水の方が少なくなる。
【００２７】
図６に示すような着水状態となった後、使用者は図７に示すように、まな板ＢＤを左右に傾斜させて、まな板ＢＤ上に滞留した除菌水をまな板ＢＤ上に満遍なく行き渡らせることができる。
【００２８】
続いて、図８を参照しながら、吐水装置ＷＤの除菌水側における吐水開始時の制御フローを説明する。前提として、電磁弁３２は閉じられ、マイクロポンプ３７はオフになっており、電解槽３５にも通電されていない不使用状態からスタートするものとする（ステップＳ１０１）。
【００２９】
制御装置３８は、操作部２０３が操作され、除菌水の吐出が要求されているかどうかを判断する（ステップＳ１０２）。操作部２０３が操作されていなければステップＳ１０２の判断を繰り返し、操作部２０３が操作されていればステップＳ１０３の処理に進む。
【００３０】
ステップＳ１０３では、制御装置３８は電磁弁３２を開かせるための制御信号を出力する。ステップＳ１０３に続くステップＳ１０４では、所定時間経過したか否かを判断する。所定時間経過していなければステップＳ１０４の判断を繰り返し、所定時間経過していればステップＳ１０５の処理に進む。
【００３１】
ステップＳ１０５では、制御装置３８は、電磁弁３２の開状態を維持し、マイクロポンプ３７を駆動させ、電解槽３５の電極に通電し、高濃度の除菌水を生成する。この除菌水は、除菌水吐出部２０からシンクＳＫに向けて吐出される。
【００３２】
このようなステップで除菌水を吐出すると、まな板ＢＤには、最初に水道水が吐出され、その後除菌水が吐出されることになる。図９の（Ａ）に示されるように、最初にまな板ＢＤに到達した水道水は水はねを起こしながら一部がまな板ＢＤ上に残留する。続いて図９の（Ｂ）に示されるように、除菌水がまな板ＢＤに到達するが、既に水道水の水膜ができているので除菌水の水跳ねは低減される。更に、図９の（Ｃ）に示されるように、まな板ＢＤ上に残留しているのが除菌水となっても、やはり後続の除菌水の水跳ねは低減させることができる。
【００３３】
続いて、図１０を参照しながら、吐水装置ＷＤの除菌水側における吐水開始時の別な制御フローを説明する。前提として、電磁弁３２は閉じられ、マイクロポンプ３７はオフになっており、電解槽３５にも通電されていない不使用状態からスタートするものとする（ステップＳ２０１）。
【００３４】
制御装置３８は、操作部２０３が操作され、除菌水の吐出が要求されているかどうかを判断する（ステップＳ２０２）。操作部２０３が操作されていなければステップＳ２０２の判断を繰り返し、操作部２０３が操作されていればステップＳ２０３の処理に進む。
【００３５】
ステップＳ２０３では、制御装置３８は電磁弁３２を開かせるための制御信号を出力すると共に、電解槽３５の電極に通電する。ステップＳ２０３に続くステップＳ２０４では、所定時間経過したか否かを判断する。所定時間経過していなければステップＳ２０４の判断を繰り返し、所定時間経過していればステップＳ２０５の処理に進む。
【００３６】
ステップＳ１０５では、制御装置３８は、電磁弁３２の開状態を維持し、マイクロポンプ３７を駆動させ、電解槽３５の電極に対する通電状態を維持し、高濃度の除菌水を生成する。この除菌水は、除菌水吐出部２０からシンクＳＫに向けて吐出される。
【００３７】
このようなステップで除菌水を吐出しても、マイクロポンプ３７を駆動させるまでは低濃度の除菌水がまな板ＢＤに到達するので、低濃度の除菌水による水膜が形成され、高濃度の除菌水が水跳ねすることを抑制することができる。
【００３８】
本実施形態では、図１１に示されるように、除菌水吐出部２０がシンクＳＫの左右方向中心位置から離れた位置に配置されている。更に、除菌水吐出部２０からはシンクＳＫの中心側に向かい且つ前後方向に斜めに除菌水を吐出している。
【００３９】
また、図１２に示されるように、シンクＳＫの底面部ＳＫ１には、排水口ＳＫ２が設けられ、排水口ＳＫ２に向かって下り傾斜した勾配面部が形成されている。排水口ＳＫ２は、シンクＳＫの左右方向の一側に設けられ、除菌水吐出部２０はシンクＳＫの左右方向の他側に設けられている。除菌水吐出部２０は、吐水の外周形状がシンクＳＫの前後方向に長い扁平形状となるように形成されている。
【００４０】
図１３に除菌水吐水部２０の拡大断面図を示す。図１３に示されているように、除菌水吐水部２０のスパウト部２０１は、止水時に伝って流れる除菌水がそのまま取付部２０２に向けて流れるように構成されている。従って、吐水装置ＷＤは、除菌水吐出部２０から吐出される除菌水をシンクＳＫ内に向けて吐水する第１吐水状態と、除菌水吐出部２０から吐出される除菌水を取付部２０２に供給する第２吐水状態とを形成可能に構成されており、第２吐水状態は、除菌水吐出部２０から吐水される除菌水をスパウト部２０１の外面に沿って流れるようにするとともに、スパウト部２０１の外面に沿って流れる除菌水を取付部２０２にガイドしている（図１４参照）。また、第２吐水状態は、第１吐水状態を実行した後に自動で実行されるよう構成されている。また、第２吐水状態は、第１吐水状態よりも小流量の除菌水を吐水することで形成される。
【００４１】
図１５に示されるように、取付部２０２には、除菌水吐出部２０からの除菌水の吐水と止水とを切替える操作部２０３が設けられている。
【符号の説明】
【００４２】
１０：水道水吐出部
２０：除菌水吐出部
３０：除菌水生成部
３１：止水栓
３２：電磁弁
３３：調圧弁
３４：逆止弁
３５：電解槽
３６：塩水パック
３７：マイクロポンプ
３８：制御装置
１０１：スパウト部
１０２：取付部
１０３：操作部
２０１：スパウト部
２０２：取付部
２０３：操作部
ＢＤ：まな板
ＳＫ：シンク
ＳＫ１：底面部
ＳＫ２：排水口
ＷＤ：吐水装置
【図１】
0006489495.tif 000002
【図２】
0006489495.tif 000003
【図３】
0006489495.tif 000004
【図４】
0006489495.tif 000005
【図５】
0006489495.tif 000006
【図６】
0006489495.tif 000007
【図７】
0006489495.tif 000008
【図８】
0006489495.tif 000009
【図９】
0006489495.tif 000010
【図１０】
0006489495.tif 000011
【図１１】
0006489495.tif 000012
【図１２】
0006489495.tif 000013
【図１３】
0006489495.tif 000014
【図１４】
0006489495.tif 000015
【図１５】
0006489495.tif 000016